(57)【要約】【課題】重要なデータのバックアップが行われない可能性を低減することが可能な情報機器を提供する。【解決手段】接続部１２１は、バックアップデータ記憶部を有する充電器と接続可能である。充電部１２２は、接続部と接続された充電器から供給された電力を二次電池に充電する。記憶部１２４は、複数のデータと、当該複数のデータそれぞれの優先度を示す優先度情報とを記憶する。バックアップ制御部１２７は、優先度情報に応じた順序で、記憶部に記憶されたデータを複製し、当該複製したデータをバックアップデータとして、バックアップデータ記憶部に記憶させるバックアップ処理を行う。【選択図】図７
2014236463.tif 000002
【特許請求の範囲】
【請求項１】
バックアップデータ記憶部を有する充電器と接続可能な接続部と、
前記接続部と接続された充電器から供給された電力を二次電池に充電する充電部と、
複数のデータと、当該複数のデータそれぞれの優先度を示す優先度情報とを記憶する記憶部と、
前記優先度情報に応じた順序で、前記記憶部に記憶されたデータを複製し、当該複製したデータをバックアップデータとして前記バックアップデータ記憶部に記憶させるバックアップ処理を行うバックアップ制御部と、を備える情報機器。
【請求項２】
表示部をさらに備え、
前記バックアップ制御部は、前記バックアップ処理が中断された場合、前記バックアップ処理の進行状況を前記表示部に表示させる、請求項１に記載の情報機器。
【請求項３】
前記バックアップ制御部は、前記接続部に前記充電器が接続されたことを検知すると、前記バックアップ処理を開始する、請求項１または２に記載の情報機器。
【請求項４】
前記接続部と接続された充電器から前記バックアップ処理の開始を指示する開始信号を受信すると、前記バックアップ制御部に前記バックアップ処理を開始させる制御部、をさらに備える、請求項１ないし３のいずれか１項に記載の情報機器。
【請求項５】
前記記憶部は、当該情報機器のユーザを識別する識別子を記憶し、
前記バックアップ制御部は、前記バックアップ処理において、前記バックアップデータと、前記識別子とを対応付けて前記バックアップデータ記憶部に記憶させる、請求項１ないし４のいずれか１項に記載の情報機器。
【請求項６】
情報機器と、充電器とを含み、
前記充電器は、
バックアップデータ記憶部と、
前記情報機器と接続可能な第１接続部と、
前記情報機器に電力を供給する電力供給部と、を有し、
前記情報機器は、
前記充電器と接続可能な第２接続部と、
前記第２接続部と接続された充電器から供給された電力を二次電池に充電する充電部と、
複数のデータと、当該複数のデータそれぞれの優先度を示す優先度情報とを記憶する記憶部と、
前記優先度情報に応じた順序で、前記記憶部に記憶されたデータを複製し、当該複製したデータをバックアップデータとして前記バックアップデータ記憶部に記憶させるバックアップ処理を行うバックアップ制御部と、を有する、バックアップシステム。
【請求項７】
前記充電器は、前記充電器と前記情報機器とが接続された時点において当該情報機器が起動できない状態か否かを検知し、当該情報機器が起動できない状態である場合、当該接続された時点から所定時間が経過したときに、前記情報機器に前記バックアップ処理の開始を指示する開始信号を入力する、請求項６に記載のバックアップシステム。
【請求項８】
バックアップデータ記憶部を有する充電器と接続可能な接続部と、
前記接続部に接続された充電器から供給された電力を二次電池に充電する充電部と、
複数のデータと、当該複数のデータそれぞれの優先度を示す優先度情報とを記憶する記憶部と、を有する情報機器に、
前記優先度情報に応じた順序で、前記記憶部に記憶されたデータを複製し、当該複製したデータをバックアップデータとして前記バックアップデータ記憶部に記憶させるバックアップ処理を行わせる、情報機器の制御方法。
【請求項９】
バックアップデータ記憶部を有する充電器と接続可能な接続部と、
前記接続部に接続された充電器から供給された電力を二次電池に充電する充電部と、
複数のデータと、当該複数のデータそれぞれの優先度を示す優先度情報とを記憶する記憶部と、を有する情報機器に、
前記優先度情報に応じた順序で、前記記憶部に記憶されたデータを複製し、当該複製したデータをバックアップデータとして前記バックアップデータ記憶部に記憶させるバックアップ処理を行わせるためのプログラム。
【発明の詳細な説明】
【技術分野】
【０００１】
本発明は、情報機器のバックアップ制御に関する。
【背景技術】
【０００２】
近年、携帯型の情報機器が普及し、その情報機器に記憶されるデータの量は増大している。情報機器に記憶されるデータは、例えば連絡先、写真、音楽、アプリケーションデータ、メール、設定情報などである。情報機器を紛失した場合や、情報機器が故障してした場合には、これらのデータが失われてしまうことがあるため、データをバックアップする方法が各種提案されている。
【０００３】
情報機器に記憶されたデータをバックアップする方法として、近年、ネットワークを介して接続されるサーバを用いる方法が普及し始めている。この方法では、情報機器に記憶されたデータをネットワークを介してサーバに送信し、サーバにこのデータを記憶させる。サーバを用いる方法の場合、ネットワークに接続している環境であれば、ユーザがどこにいてもデータをバックアップすることができるという利点がある。
【０００４】
しかしながら、ネットワークを介してデータを送受信したり、ネットワークを介してアクセスすることのできるサーバにデータを記憶させることは、ネットワークとは断絶された記憶装置にデータを記憶させるよりも情報流出の可能性が高い。情報機器に記憶されるデータは、個人情報に関わるものが多いため、情報流出の可能性を懸念して、情報機器に記憶されたデータをサーバにバックアップすることに抵抗感を感じるユーザも多い。
【０００５】
ネットワークを介さずに、情報機器に記憶されたデータをバックアップする方法としては、ＰＣ（Ｐｅｒｓｏｎａｌ  Ｃｏｍｐｕｔｅｒ）を用いる方法がある。この方法では、情報機器に記憶されたデータを、その情報機器とケーブルなどを介して接続されたＰＣの記憶部にバックアップするため、ユーザの抵抗感を低減することが可能になる。
【０００６】
しかしながら、情報機器をＰＣと接続してバックアップを行うためには手間がかかり、ユーザにとって煩わしい。このため、ユーザがデータをバックアップする頻度が低下して、情報機器に記憶されている最新のデータがバックアップされない状況が生じる。
【０００７】
ネットワークを介さずに、バックアップを行う手間を低減する方法として、特許文献１および非特許文献１には、充電器が情報機器に充電を行っている間に、情報機器に記憶されたデータを充電器に備わる記憶部にバックアップする方法が開示されている。この方法によれば、情報機器の充電を開始することで、自動的にデータのバックアップが行われるため、バックアップを行う手間が低減される。
【先行技術文献】
【特許文献】
【０００８】
【特許文献１】特開２０００−３２４２３７号公報
【非特許文献】
【０００９】
【非特許文献１】Junya Suzuki、[online]、２０１１年１月１３日、［平成２５年５月２１日検索］、インターネット＜ＵＲＬ：http://iwire.jp/news/2011/01/13/002/index.html＞
【発明の概要】
【発明が解決しようとする課題】
【００１０】
しかしながら、特許文献１および非特許文献１に開示された方法では、情報機器のデータがバックアップされていることをユーザが意識していないことが多い。このため、データのバックアップが行われている途中に、ユーザが充電器から情報機器を外してしまうことがある。この場合、バックアップ処理が中断され、バックアップの対象である対象データのうちの一部が充電器に記憶されないことがある。このため、重要なデータのバックアップが行われない場合があるという問題がある。
【００１１】
本発明の目的は、重要なデータのバックアップが行われない可能性を低減することが可能な情報機器、バックアップシステム、情報機器の制御方法、およびプログラムを提供することである。
【課題を解決するための手段】
【００１２】
本発明による情報機器は、
バックアップデータ記憶部を有する充電器と接続可能な接続部と、
前記接続部と接続された充電器から供給された電力を二次電池に充電する充電部と、
複数のデータと、当該複数のデータそれぞれの優先度を示す優先度情報とを記憶する記憶部と、
前記優先度情報に応じた順序で、前記記憶部に記憶されたデータを複製し、当該複製したデータをバックアップデータとして前記バックアップデータ記憶部に記憶させるバックアップ処理を行うバックアップ制御部と、を有する。
【００１３】
また、本発明によるバックアップシステムは、
情報機器と、充電器とを含み、
前記充電器は、
バックアップデータ記憶部と、
前記情報機器と接続可能な第１接続部と、
前記情報機器に電力を供給する電力供給部と、を有し、
前記情報機器は、
前記充電器と接続可能な接続部と、
前記接続部と接続された充電器から供給された電力を二次電池に充電する充電部と、
複数のデータと、当該複数のデータそれぞれの優先度を示す優先度情報とを記憶する記憶部と、
前記優先度情報に応じた順序で、前記記憶部に記憶されたデータを複製し、当該複製したデータをバックアップデータとして前記バックアップデータ記憶部に記憶させるバックアップ処理を行うバックアップ制御部と、を有する。
【００１４】
また、本発明による情報機器の制御方法は、
バックアップデータ記憶部を有する充電器と接続可能な接続部と、
前記接続部と接続された充電器から供給された電力を二次電池に充電する充電部と、
複数のデータと、当該複数のデータそれぞれの優先度を示す優先度情報とを記憶する記憶部と、を有する情報機器に、
前記優先度情報に応じた順序で、前記記憶部に記憶されたデータを複製し、当該複製したデータをバックアップデータとして前記バックアップデータ記憶部に記憶させるバックアップ処理を行わせる。
【００１５】
また、本発明によるプログラムは、
バックアップデータ記憶部を有する充電器と接続可能な接続部と、
前記接続部と接続された充電器から供給された電力を二次電池に充電する充電部と、
複数のデータと、当該複数のデータそれぞれの優先度を示す優先度情報とを記憶する記憶部と、を有する情報機器に、
前記優先度情報に応じた順序で、前記記憶部に記憶されたデータを複製し、当該複製したデータをバックアップデータとして前記バックアップデータ記憶部に記憶させるバックアップ処理を行わせる。
【発明の効果】
【００１６】
本発明によれば、重要なデータのバックアップが行われない可能性を低減することが可能である。
【図面の簡単な説明】
【００１７】
【図１】本発明の第１の実施形態にかかるバックアップシステム１０の構成を示す図である。
【図２】バックアップシステム１０の詳細な構成を説明するためのブロック図である。
【図３】同実施形態にかかる情報機器の動作を説明するためのフローチャートである。
【図４】同実施形態にかかる情報機器がバックアップ処理の進行状況を表示する画面を説明するための図である。
【図５】本発明の第２の実施形態にかかるバックアップシステム２０の構成を説明するためのブロック図である。
【図６】同実施形態にかかる充電台の動作を説明するためのフローチャートである。
【図７】本発明の第３の実施形態にかかる情報機器の構成を説明するためのブロック図である。
【図８】同実施形態にかかる情報機器の動作を説明するためのフローチャートである。
【発明を実施するための形態】
【００１８】
以下、本発明の実施形態について添付の図面を参照して説明する。なお、本明細書および図面において、同一の機能を有する構成要素については同じ符号を付することにより重複説明を省略する場合がある。
【００１９】
（第１の実施形態）
図１は、本発明の第１の実施形態にかかるバックアップシステム１０の構成を示す図である。
【００２０】
本実施形態にかかるバックアップシステム１０は、情報機器１００と、充電台２００とを含む。
【００２１】
情報機器１００は、携帯型の情報処理装置であり、各種のデータを保持している。情報機器１００は、例えば、スマートフォン、タブレット型端末、ゲーム機器、ＰＤＡ（Ｐｅｒｓｏｎａｌ  Ｄｉｇｉｔａｌ  Ａｓｓｉｓｔａｎｔ）、ナビゲーション装置、音楽再生装置、および映像処理装置などである。なお映像処理装置には、カメラ、レコーダ、プレイヤなどが含まれる。
【００２２】
充電台２００は、情報機器１００に電力を供給する充電器である。充電台２００は、ケーブル３００を介して商用電源４００と接続可能であり、接続された商用電源４００から供給された電力を情報機器１００に供給する。また充電台２００は、情報機器１００に記憶されたデータを複製したバックアップデータを記憶する記憶部を有する。本実施形態では、充電台２００は、情報機器１００を保持するための溝を有し、情報機器１００をこの溝に保持した状態で、情報機器１００に充電したり、情報機器１００からデータをバックアップしたりすることができる。
【００２３】
図２は、バックアップシステム１０の詳細な構成を説明するためのブロック図である。
【００２４】
情報機器１００は、接続部１０１と、充電部１０２と、二次電池１０３と、記憶部１０４と、タッチパネル１０５と、ＣＰＵ（Ｃｅｎｔｒａｌ  Ｐｒｏｃｅｓｓｉｎｇ  Ｕｎｉｔ）１０６とを有する。
【００２５】
充電台２００は、接続部２０１と、電力供給部２０２と、バックアップデータ記憶部２０３とを有する。
【００２６】
接続部１０１は、充電台２００の接続部２０１と接続可能な接続端子であり、充電器と接続可能な第２接続部である。接続部１０１は、充電台２００から供給された電力を充電部１０２に出力する。また接続部１０１は、ＣＰＵ１０６からバックアップデータを受け付けた場合、このバックアップデータを充電台２００に出力する。また接続部１０１は、充電台２００からバックアップデータを受け付けた場合、このバックアップデータをＣＰＵ１０６に出力する。
【００２７】
充電部１０２は、接続部１０１が出力した電力を受け付けて、二次電池１０３に充電する充電回路である。充電部１０２は、接続部１０１から電力を受け付けると、二次電池１０３の充電量を検出して、二次電池１０３が所定の充電量となるまで二次電池１０３を充電する。
【００２８】
二次電池１０３は、充電可能な電池である。二次電池１０３は、充電部１０２から供給された電力を蓄え、蓄えた電力を、充電部１０２、記憶部１０４、タッチパネル１０５、およびＣＰＵ１０６のそれぞれに供給して駆動する。
【００２９】
記憶部１０４は、情報機器１００の動作を規定するプログラムや、このプログラムの実行に伴って用いられる各種のデータなどを記憶する。記憶部１０４が記憶するデータは、例えば連絡先、写真、音楽、メールなどである。また記憶部１０４は、記憶しているデータそれぞれの優先度を示す優先度情報を各データと対応づけて記憶する。
【００３０】
優先度情報は、記憶部１０４に記憶されたデータのうちバックアップ処理の対象とする対象データの重要度に応じた情報であり、優先的にバックアップ処理を行いたいデータほど高い優先度を示す。例えば、アプリケーションのプログラムデータは、インターネットを介して再ダウンロードすることにより復元することが可能であるため、対象データとしての重要度は低い。これに対して、アプリケーションを実行することで生成されるユーザごとの履歴情報などは、復元が困難であるため、プログラムデータと比較して対象データとしての重要度は高い。また一般的に連絡先のデータは、再度収集するための手間が大きいため、対象データとしての重要度が高い。また、ユーザが異なる方法でバックアップデータを保存しているデータに関しては、充電台２００へのバックアップ処理を行う対象データとしての重要度は低くなる。
【００３１】
優先度情報は、情報機器１００の出荷段階で予め設定されていてもよい。予め設定された優先度情報では、一般的にユーザにとって重要度が高いとされるデータの優先度が高くされる。またユーザごとに対象データの重要度は異なるため、優先度情報は、後述される設定画面を用いて設定されてもよい。
【００３２】
タッチパネル１０５は、表示装置１０５１と、表示装置１０５１上における操作体の位置を検出するタッチセンサ１０５２とを含む。操作体は、例えばユーザの指やスタイラスペンなどである。タッチセンサ１０５２は、表示装置１０５１に重畳して設けられている。表示装置１０５１は、ＣＰＵ１０６の指示に従って画面を表示する。またタッチセンサ１０５２は、表示装置１０５１上における操作体の位置を検出して当該位置を示す位置情報をＣＰＵ１０６に出力する。
【００３３】
ＣＰＵ１０６は、情報機器１００を制御する。具体的には、ＣＰＵ１０６は、記憶部１０４に記憶されたプログラムを読み込み、その読み込んだプログラムを実行することで、バックアップ制御部１０７などの機能を実現する。
【００３４】
バックアップ制御部１０７は、記憶部１０４に記憶された対象データを複製し、当該複製したデータを、バックアップデータとして、充電台２００に備わるバックアップデータ記憶部２０３に記憶させる。具体的には、バックアップ制御部１０７は、接続部１０１と充電台２００とが接続されたことを検出すると、記憶部１０４に記憶されたデータを複製し、当該複製したデータを、接続部１０１を介して充電台２００のバックアップデータ記憶部２０３にバックアップデータとして記憶させるバックアップ処理を行う。バックアップ制御部１０７は、このバックアップ処理を、対象データそれぞれの優先度情報に応じた順序で行う。
【００３５】
またバックアップ制御部１０７は、バックアップ処理に関する設定を行うための設定画面を生成してタッチパネル１０５の表示装置に表示させる。バックアップ処理に関する設定には、記憶部１０４に記憶されたデータのうち、バックアップ処理の対象とする対象データの設定や、対象データの優先度を示す優先度情報の設定などが含まれる。バックアップ制御部１０７は、記憶部１０４に記憶された優先度情報に基づいて、バックアップ処理を行うことができる。
【００３６】
またバックアップ制御部１０７は、生成したバックアップデータと、情報機器１００のユーザを識別する識別子とを対応づけてバックアップデータ記憶部２０３に記憶させてもよい。この識別子は、ユーザ固有の情報であってもよいし、情報機器１００固有の情報であってもよい。
【００３７】
充電台２００の接続部２０１は、情報機器１００と接続可能な接続端子であり、第１接続部とも呼ばれる。接続部２０１は、充電台２００に備わる溝の内壁に露出されており、この溝に情報機器１００を保持した状態で、情報機器１００の接続部１００と充電台２００の接続部２０１とが接触するように配置されている。
【００３８】
電力供給部２０２は、ケーブル３００を介して商用電源４００と接続可能であり、接続された商用電源４００から供給される電力を、接続部２０１を介して情報機器１００に供給する。
【００３９】
バックアップデータ記憶部２０３は、接続部２０１を介して情報機器１００から受信したデータを記憶する。
【００４０】
図３は、本実施形態にかかる情報機器１００の動作を説明するためのフローチャートである。
【００４１】
情報機器１００の接続部１０１は、充電台２００との接続を検知する（ステップＳ１００）。充電台２００との接続を検知した接続部１０１は、接続を検知した旨をバックアップ制御部１０７に通知する。また接続部１０１と接続された充電台２００は、情報機器１００に電力を供給する。接続部１０１は、充電台２００から供給された電力を充電部１０２に出力する。
【００４２】
充電部１０２は、接続部１０１が出力した電力を受け付けると、二次電池１０３の充電量を検出する（ステップＳ１０２）。充電部１０２は、二次電池１０３が所定の充電量となるまで、接続部１０１から出力された電力を用いて、二次電池１０３を充電する（ステップＳ１０４）。
【００４３】
バックアップ制御部１０７は、接続部１０１から接続を検知した旨を通知されると、優先度情報に応じた順序で、対象データのバックアップ処理を開始する。具体的には、バックアップ制御部１０７は、優先度情報が示す優先度が高い対象データから順にバックアップ処理を行う（ステップＳ１０６）。
【００４４】
バックアップ処理を開始した後、バックアップ制御部１０７は、全ての対象データのバックアップ処理を完了したか否かを判断する（ステップＳ１０８）。全ての対象データのバックアップ処理を完了した場合、バックアップ制御部１０７は、処理を終了する。
【００４５】
全ての対象データのバックアップ処理を完了していない場合、バックアップ制御部１０７は、バックアップ処理が中断されたか否かを判断する（ステップＳ１１０）。例えばバックアップ制御部１０７は、全ての対象データのバックアップ処理が完了しないうちに、充電台２００と情報機器１００との接続が解除された場合、バックアップ処理は中断したと判断する。
【００４６】
バックアップ処理が中断されていない場合、バックアップ制御部１０７は、ステップＳ１０６の処理に戻る。
【００４７】
バックアップ処理が中断された場合、バックアップ制御部１０７は、バックアップ処理の進行状況をタッチパネル１０５の有する表示装置に表示させ（ステップＳ１１２）、処理を終了する。図４は、バックアップ処理の進行状況を表示する画面を示す図である。この表示画面５０は、バックアップ処理が中断された旨を通知するメッセージと、対象データと、全ての対象データに対してバックアップ処理が完了した割合とが進行状況として示される。
【００４８】
以上説明したように、本実施形態によれば、記憶部１０４に記憶されたデータそれぞれの優先度情報に応じた順序で、充電台２００が有するバックアップデータ記憶部２０３にバックアップデータを記憶させるバックアップ処理が行われる。これにより、重要なデータほど先にバックアップ処理を行うことが可能になるため、重要なデータのバックアップが行われない可能性を低減することが可能になる。
【００４９】
また、本実施形態によれば、接続部１０１に充電台２００が接続されたことが検知されると、バックアップ処理が開始される。これにより、ユーザは、充電台２００に情報機器１００を接続するとバックアップ処理が自動的に開始されるため、バックアップ処理を行う際のユーザの手間を低減することが可能になり、重要なデータのバックアップが行われない可能性をより確実に低減することが可能になる。
【００５０】
また、本実施形態によれば、バックアップ処理が中断された場合、バックアップ処理の進行状況を示す画面が表示される。これにより、ユーザは、バックアップ処理が中断された場合に、バックアップ処理が完了したデータと完了していないデータとを把握することが可能になる。したがって、ユーザはこの進行状況を見て、ユーザにとって重要なデータがバックアップされていない場合には、手動でバックアップを行ったり、充電台２００と再度接続してバックアップ処理を行わせたりすることが可能になる。このため、重要なデータのバックアップが行われない可能性をより確実に低減することが可能になる。
【００５１】
また、本実施形態によれば、情報機器１００の記憶部１０４には、当該情報機器１００のユーザを識別する識別子が記憶されている。また、バックアップ処理において、バックアップデータと、識別子とが対応付けてバックアップデータ記憶部２０３に記憶される。これにより、複数のバックアップデータを充電台２００に記憶させる場合に、ユーザとバックアップデータとが対応づけられるため、複数のユーザが１台の充電台にデータをバックアップすることが可能になる。
【００５２】
（第２の実施形態）
図５は、本発明の第２の実施形態にかかるバックアップシステム２０の構成を説明するためのブロック図である。
【００５３】
バックアップシステム２０は、情報機器１１０と充電台２１０とを含む。
【００５４】
情報機器１１０は、接続部１０１と、充電部１０２と、二次電池１０３と、記憶部１０４と、タッチパネル１０５と、ＣＰＵ１１６とを有する。
【００５５】
充電台２１０は、接続部２０１と、電力供給部２０２と、バックアップデータ記憶部２１３と、制御部２１４とを有する。
【００５６】
ＣＰＵ１１６は、情報機器１１０を制御する。具体的には、ＣＰＵ１１６は、記憶部１１４に記憶されたプログラムを読み込み、その読み込んだプログラムを実行することで、バックアップ制御部１０７などの機能を実現する。また、ＣＰＵ１１６は、接続部１０１を介して充電台２１０からバックアップ処理の開始を指示する開始信号を受信すると、バックアップ制御部１０７の機能を実現するための情報機器１１０の動作を規定するバックアッププログラムを読み込み、その読み込んだバックアッププログラムを実行する。バックアッププログラムが実行されると、接続部１０１には充電台２１０が接続された状態であるため、バックアップ制御部１０７は、バックアップ処理を開始する。このため、ＣＰＵ１１６は、開始信号に応じてバックアップ処理を開始することになる。
【００５７】
また、ＣＰＵ１１６は、充電台２１０からの指示に応じて、タッチパネル１０５の表示装置１０５１を用いて、バックアッププログラムの導入を促す画面を表示させる。ＣＰＵ１１６は、表示させた画面に対する操作に応じた操作信号をタッチセンサ１０５２から受信すると、この操作信号がバックアッププログラムの導入を開始する旨を示す場合、充電台２１０にバックアッププログラムを要求する信号を出力する。
【００５８】
充電台２１０のバックアップデータ記憶部２１３は、情報機器１１０から受信したバックアップデータと、情報機器１１０のバックアップ制御部１０７の機能を実現するための情報機器１１０の動作を規定するバックアッププログラムとを記憶する。
【００５９】
制御部２１４は、充電台２１０を制御する。制御部２１４は、接続部２０１と接続された情報機器１１０がバックアッププログラムを記憶していない場合、このバックアッププログラムの導入を情報機器１１０に促す。具体的には、制御部２１４は、情報機器１１０にバックアッププログラムの導入を促す画面を表示させる。また、制御部２１４は、情報機器１１０からバックアッププログラムを要求する信号を受信すると、バックアップデータ記憶部２１３に記憶されたバックアッププログラムを情報機器１１０に記憶させる。
【００６０】
また制御部２１４は、接続部２０１にバックアッププログラムを記憶する情報機器１１０が接続された時点で、情報機器１１０に備わる二次電池１０３の充電量が少なく、情報機器１１０を起動することができない状態である場合に、接続された時点から所定時間が経過したときに、バックアップ処理の開始を指示する開始信号を情報機器１１０に入力する。
【００６１】
図６は、本実施形態にかかる充電台２１０の動作を説明するためのフローチャートである。
【００６２】
充電台２１０の制御部２１４は、情報機器１１０との接続を検知する（ステップＳ２００）。
【００６３】
制御部２１４は、情報機器１１０との接続を検知すると、情報機器１１０が起動した状態であるか否かを判断する（ステップＳ２０２）。例えば、制御部２１４は、応答を要求する応答要求信号を、接続部２０１を介して情報機器１１０に出力し、その応答要求信号に対する応答があるか否かに応じて情報機器１１０が起動した状態であるか否かを判断する。
【００６４】
情報機器１１０が起動した状態でない場合、制御部２１４はカウントを開始する（ステップＳ２０４）。
【００６５】
制御部２１４は、カウントした値に基づいて、カウントの開始時点から所定時間が経過したか否かを判断する（ステップＳ２０６）。所定時間が経過していない場合には、制御部２１４は、所定時間が経過するまでステップＳ２０６の判断を繰り返す。
【００６６】
所定時間が経過した場合、制御部２１４は、情報機器１１０に開始信号を入力する（ステップＳ２０８）。
【００６７】
制御部２１４は、情報機器１１０がバックアッププログラムを記憶しているか否かを判断する（ステップＳ２１０）。
【００６８】
ステップＳ２０２で情報機器が起動していると判断された場合には、制御部２１４は、ステップＳ２０４〜ステップＳ２０８の処理を省略して、ステップＳ２１０の処理を実行する。
【００６９】
情報機器１１０がバックアッププログラムを記憶していない場合、制御部２１４は、情報機器１１０にバックアッププログラムを導入させる（ステップＳ２１２）。具体的には、制御部２１４は、情報機器１１０にバックアッププログラムの導入を促す画面を表示させ、当該画面に含まれる導入を開始するためのボタンが押下されると、バックアップデータ記憶部２１３に記憶されたバックアッププログラムを情報機器１１０に記憶させる。
【００７０】
情報機器１１０がバックアッププログラムを記憶している場合、ステップＳ２１２の処理は省略される。
【００７１】
制御部２１４は、接続部２０１が情報機器１１０からバックアップデータを受信したか否かを検知する（ステップＳ２１４）。
【００７２】
バックアップデータを受信したことを検知すると、制御部２１４は、接続部２０１が受信したバックアップデータをバックアップデータ記憶部２１３に記憶して（ステップＳ２１６）、処理を終了する。
【００７３】
本実施形態によれば、情報機器１１０が充電台２１０から開始信号を受信すると、バックアップ処理が開始される。これにより、情報機器１１０の二次電池１０３の充電量が少なく、充電台２１０と接続されたときにバックアップ処理を開始することができない場合であっても、開始信号に応じてバックアップ処理を開始することが可能になる。したがって、重要なデータのバックアップが行われない可能性を低減することが可能になる。
【００７４】
また、本実施形態によれば、充電台２１０と情報機器１１０とが接続された時点において当該情報機器１１０が起動できない状態である場合に、当該接続された時点から所定時間が経過したときに、充電台２１０から情報機器１１０にバックアップ処理の開始を指示する開始信号が入力される。これにより、情報機器１１０が充電されて起動することが可能な状態となってからバックアップ処理の開始が指示される可能性が高まるため、バックアップ処理をより確実に行うことが可能になり、重要なデータのバックアップが行われない可能性を低減することが可能になる。
【００７５】
（第３の実施形態）
図７は、本発明の第３の実施形態にかかる情報機器１２０を説明するためのブロック図である。
【００７６】
情報機器１２０は、接続部１２１と、充電部１２２と、記憶部１２４と、バックアップ制御部１２７とを有する。
【００７７】
接続部１２１は、バックアップデータ記憶部を有する充電器と接続可能である。
【００７８】
充電部１２２は、接続部１２１と接続された充電器から供給された電力を二次電池に充電する。
【００７９】
記憶部１２４は、複数のデータと、当該複数のデータそれぞれの優先度を示す優先度情報とを記憶する。
【００８０】
バックアップ制御部１２７は、優先度情報に応じた順序で、記憶部１２４に記憶されたデータを複製し、当該複製したデータをバックアップデータとしてバックアップデータ記憶部に記憶させるバックアップ処理を行う。
【００８１】
図８は、本実施形態にかかる情報機器１２０の動作を説明するためのフローチャートである。
【００８２】
情報機器１２０の充電部１２２は、接続部１２１と接続された充電器から供給された電力を二次電池に充電する（ステップＳ３００）。
【００８３】
バックアップ制御部１２７は、優先度情報に応じた順序で、記憶部１２４に記憶されたデータを複製し、複製したデータをバックアップデータとしてバックアップデータ記憶部に記憶させるバックアップ処理を行う（ステップＳ３０２）。
【００８４】
以上説明したように、本実施形態でも、記憶部１２４に記憶されたデータそれぞれの優先度情報に応じた順序で、充電台が有するバックアップデータ記憶部にバックアップデータを記憶させるバックアップ処理が行われる。これにより、重要なデータほど先にバックアップ処理を行うことが可能になるため、重要なデータのバックアップが行われない可能性を低減することが可能になる。
【００８５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８６】
例えば、上記実施形態では、充電器として、充電器に備わった溝に情報機器を保持する充電台を例示したが、本発明はかかる例に限定されない。充電器の形状は、図示した形状に限らず、ケーブルを介して情報機器と接続する形状であってもよい。
【００８７】
また、上記実施形態では、情報機器は、充電器との接続を検知したとき、または充電器から開始信号を受信したときにバックアップ処理を開始することとしたが、本発明はかかる例に限定されない。例えば、充電器にバックアップ処理の開始を指示するボタンが備わっていて、このボタンをユーザが押下すると、充電器は情報機器に開始信号を入力してもよい。これにより、ユーザが明示的にバックアップ処理の開始を指示したときにバックアップ処理が行われることになる。
【符号の説明】
【００８８】
１００，１１０，１２０    情報機器
１０１，１２１            接続部
１０２，１２２            充電部
１０３                    二次電池
１０４，１２４            記憶部
１０５                    タッチパネル
１０５１                  表示装置
１０５２                  タッチセンサ
１０６，１１６            ＣＰＵ
１０７，        １２７    バックアップ制御部
２００，２１０            充電台（充電器）
２０１                    接続部
２０２                    電力供給部
２０３，２１３            バックアップデータ記憶部
２１４                    制御部
【図１】
2014236463.tif 000003
【図２】
2014236463.tif 000004
【図３】
2014236463.tif 000005
【図４】
2014236463.tif 000006
【図５】
2014236463.tif 000007
【図６】
2014236463.tif 000008
【図７】
2014236463.tif 000009
【図８】
2014236463.tif 000010